(57)【要約】【課題】筆記芯の折損を低減させ、且つ、効果的に口金を保護することが可能なシャープペンシルを提供すること。【解決手段】シャープペンシル１００は、軸筒１０と、軸筒１０の内部に配置され、筆記芯２１を保持する芯繰出ユニット２０と、芯繰出ユニット２０の前方に支持された口金３０と、を備える。軸筒１０は、前筒１１と前筒１１に対し軸線Ｌの周りに相対回転可能な後筒１２とを有する。芯繰出ユニット２０及び口金３０は、後筒１２を前筒１１に対し軸線Ｌの周りに相対回転させることで、当該口金３０が軸筒１０の前端から突出した筆記状態と、口金３０が軸筒１０の内部に没入した非筆記状態と、に交互に切替可能である。口金３０は、筆記状態において軸筒１０を後方から押圧する。筆記状態において、芯繰出ユニット２０は軸筒１０に対し軸線方向ｄａに相対移動可能であり、口金３０は軸筒１０に対し径方向に相対移動可能である。【選択図】図１
2019119202.tif 000002
【特許請求の範囲】
【請求項１】
軸筒と、
前記軸筒の内部に当該軸筒に対しその軸線方向に相対移動可能に配置され、筆記芯を保持する芯繰出ユニットと、
前記芯繰出ユニットの前方に支持され、当該芯繰出ユニットに保持された前記筆記芯が通過可能な開口部を有する口金と、を備え、
前記軸筒は、前筒と当該前筒に対し前記軸線の周りに相対回転可能な後筒とを有し、
前記芯繰出ユニット及び前記口金は、前記後筒を前記前筒に対し前記軸線の周りに相対回転させることにより、当該口金が前記軸筒の前端から突出した筆記状態と、当該口金が前記軸筒の内部に没入した非筆記状態と、に交互に切替可能であり、
前記口金は、前記筆記状態にあるとき、前記軸筒を後方から押圧し、
前記芯繰出ユニットは、前記筆記状態にあるとき、筆圧の前記軸筒の軸線方向成分によって前記軸筒に対し前記軸筒の軸線方向に相対移動可能であり、且つ、前記口金は、前記筆記状態にあるとき、前記筆圧の前記軸筒の径方向成分によって前記軸筒に対し当該軸筒の径方向に相対移動可能である、シャープペンシル。
【請求項２】
前記軸筒の内部に当該軸筒に対し前記軸線方向に相対移動可能に配置され、慣性力によって筆記芯を繰り出す繰り出し操作を行う重量体を更に備え、
前記口金及び前記芯繰出ユニットが前記非筆記状態にあるとき、前記重量体による前記筆記芯の繰り出しが制限される、請求項１に記載のシャープペンシル。
【請求項３】
前記後筒は、押圧部を含み前記前筒に対し前記軸線の周りに相対回転するカムを有し、
前記カムの前記押圧部により押圧される被押圧部を有するカムフォロアを更に備え、
前記カムフォロアは、前記被押圧部が前記カムの前記押圧部により押圧されることにより前記前筒に対し前記軸線方向に相対移動し、
前記カムの前記押圧部と前記カムフォロアの前記被押圧部とは、面接触する、請求項１または２に記載のシャープペンシル。
【請求項４】
前記カムは、前記軸線を中心として回転対称に配置された複数の押圧部を有し、
前記カムフォロアは、前記複数の押圧部に対応する位置に複数の被押圧部を有する、請求項３に記載のシャープペンシル。
【請求項５】
前記カムフォロアに対し前記芯繰出ユニットを前方に付勢する付勢手段を更に備え、
前記芯繰出ユニットは、
前記付勢手段により前記カムフォロアに対し前方に付勢されたチャック支持ユニットと、
前記チャック支持ユニットに対し前記軸線方向に相対移動可能に当該チャック支持ユニットに支持され、前記筆記芯を前方に送り出し可能に保持する、チャックユニットと、を有し、
前記口金及び前記芯繰出ユニットが前記非筆記状態にあるとき、前記チャックユニットの前記チャック支持ユニットに対する前記軸線方向の相対移動が規制される、請求項３または４に記載のシャープペンシル。
【請求項６】
前記カムフォロアは、略筒形の形状であり、内面に膨出部を有し、
前記チャックユニットは、前記カムフォロアの前記膨出部に後方から当接する当接部を有し、
前記膨出部及び前記当接部は、前記口金及び前記芯繰出ユニットが前記筆記状態にあるときには互いに離間し、前記口金及び前記芯繰出ユニットが前記非筆記状態にあるときには互いに当接する、請求項５に記載のシャープペンシル。
【請求項７】
前記芯繰出ユニットは、前記筆記状態にあるとき、前記付勢手段により前記軸筒を前方に押圧する、請求項５または６に記載のシャープペンシル。
【請求項８】
前記芯繰出ユニットと前記口金との間に圧縮状態で配置された弾性体を更に備えた、請求項１乃至７のいずれか一項に記載のシャープペンシル。
【請求項９】
前記口金及び前記芯繰出ユニットが前記筆記状態にあるとき、筆圧によって、前記筆記芯と前記芯繰出ユニットとが前記軸筒に対し後方に相対移動し、且つ、前記弾性体によって前記口金が前記芯繰出ユニットに対し前方に相対移動する、請求項８に記載のシャープペンシル。
【請求項１０】
前記筆記状態において、相対的に小さい筆圧により前記筆記芯が前記軸線方向に沿って後方へ所定距離移動する第１筆記状態と、相対的に大きい筆圧により前記筆記芯が前記軸線方向に沿って後方へ前記所定距離移動する第２筆記状態と、に切り換え可能である、請求項１乃至９のいずれか一項に記載のシャープペンシル。
【発明の詳細な説明】
【技術分野】
【０００１】
本発明は、ノック操作等により筆記芯を所定量だけ口金の前端から繰り出すことにより筆記が可能なシャープペンシルに関する。
【背景技術】
【０００２】
従来のシャープペンシルには、筆記時に筆記芯に強い筆圧が加えられると、口金の前端から突出した筆記芯が筆圧に耐えられずに折損してしまう、という問題があった。筆記芯の折損は、筆圧が一定であれば、シャープペンシルの軸筒の軸線方向と紙面とのなす角度が小さくなるほど（軸筒を寝かせるほど）、あるいは、口金の前端から突出した筆記芯の長さが長くなるほど、顕著である。
【０００３】
このような問題に対し、特許文献１（特開２０１５−１２３６８９）では、筆記芯に強い筆圧が加えられた際に、軸筒の軸線方向における筆圧の成分と当該軸線方向と直交する方向における筆圧の成分とをそれぞれ異なる機構により吸収して筆記芯の折損を低減させる、というシャープペンシルが提案されている。
【０００４】
具体的には、特許文献１のシャープペンシルは、口金が弾性体（スプリング）を介して軸筒に支持されており、当該口金は、後方に向かって次第に小径となるカム斜面を有している。また、軸筒には、カム斜面を前方に押圧する押圧部が形成されている。このような構成により、軸筒の軸線方向と直交する方向における筆圧の成分（軸筒径外方向の力）に起因して、口金のカム斜面が押圧部によって軸筒に対し前方に押圧され、軸筒の前端から口金が前方にスライドする（飛び出す）。これにより、口金の前端から突出する筆記芯の長さが減少されるようになっている。
【０００５】
更に、特許文献１のシャープペンシルは、筆記芯を繰り出す芯繰出ユニットが、弾性体（スプリング）によって軸筒に対し前方に付勢された状態で、軸筒の軸線方向に相対移動可能な態様で当該軸筒に支持されている。このような構成により、筆圧の軸線方向の成分は、筆記芯を含む芯繰出ユニットが軸筒に対し後方に相対移動することにより吸収される。この結果、口金の前端から突出する筆記芯の長さが一層減少されて、筆記芯の折損が低減されるようになっている。
【０００６】
これに対し、本件出願人は、筆記芯に強い筆圧が加えられた際に、軸筒に対して口金が当該軸筒の径方向にスライドし、且つ、口金に対して筆記芯が後方にスライドするシャープペンシルを開発し、国際出願ＰＣＴ／ＪＰ２０１６／０６８８６３として出願した。
【０００７】
ところで、上述したそれぞれのシャープペンシルでは、口金が軸筒の前端から常に露出した状態にあるため、シャープペンシルを落下させた際などに口金が損傷し易いことが懸念される。このような問題を回避するためには、口金を軸筒内に出没可能に構成することが有効である。具体的には、軸筒を、前筒と、この前筒に対し軸筒の軸線周りに相対回転可能な後筒と、で構成し、後筒を前筒に対し軸線周りに相対回転させることにより、口金を軸筒の前端から出没させる回転出没式のシャープペンシルが考えられる。
【０００８】
このような回転出没式のシャープペンシルでは、通常、口金が軸筒の前端から突出した筆記状態において、芯繰出ユニットの前端が軸筒から僅かに離間している。しかしながら、上述したそれぞれのシャープペンシルでは、筆圧を吸収する機構を実現するために、コイルバネなどの付勢手段によって口金が軸筒を押圧することが必要である。したがって、従来の出没機構を上述したシャープペンシルに直ちに適用することができなかった。
【０００９】
また、軸筒の内部に当該軸筒に対しその軸線方向に相対移動可能に重量体を配置し、この重量体の慣性力によって筆記芯を繰り出す振出式のシャープペンシルも知られている。上述した出没式のシャープペンシルを振出式のシャープペンシルとして構成することができれば、一層操作性の良いシャープペンシルを提供することができる。この場合、芯繰出ユニットが非筆記状態にあるとき、例えば移動時の振動によって重量体が振動し、その慣性力により筆記芯が不所望に繰り出されてしまう場合があった。
【先行技術文献】
【特許文献】
【００１０】
【特許文献１】特開２０１５−１２３６８９号公報
【発明の概要】
【発明が解決しようとする課題】
【００１１】
本件発明者は、鋭意検討を重ねた結果、口金を、芯繰出ユニットに対し軸筒の軸線方向に相対移動可能に当該芯繰出ユニットに支持させることにより、上述した筆圧を吸収するタイプのシャープペンシルを回転出没式とすることができることを見出した。
【００１２】
すなわち、本発明は、筆記芯を含む芯繰出ユニットが軸筒に対し相対移動して筆圧を吸収するタイプのシャープペンシルを回転出没式に構成することにより、筆記芯の折損を低減させ、且つ、効果的に口金を保護することが可能なシャープペンシルを提供することを目的とする。
【課題を解決するための手段】
【００１３】
本発明によるシャープペンシルは、軸筒と、
前記軸筒の内部に当該軸筒に対しその軸線方向に相対移動可能に配置され、筆記芯を保持する芯繰出ユニットと、
前記芯繰出ユニットの前方に支持され、当該芯繰出ユニットに保持された前記筆記芯が通過可能な開口部を有する口金と、を備え、
前記軸筒は、前筒と当該前筒に対し前記軸線の周りに相対回転可能な後筒とを有し、
前記芯繰出ユニット及び前記口金は、前記後筒を前記前筒に対し前記軸線の周りに相対回転させることにより、当該口金が前記軸筒の前端から突出した筆記状態と、当該口金が前記軸筒の内部に没入した非筆記状態と、に交互に切替可能であり、
前記口金は、前記筆記状態にあるとき、前記軸筒を後方から押圧し、
前記芯繰出ユニットは、前記筆記状態にあるとき、筆圧の前記軸筒の軸線方向成分によって前記軸筒に対し前記軸筒の軸線方向に相対移動可能であり、且つ、前記口金は、前記筆記状態にあるとき、前記筆圧の前記軸筒の径方向成分によって前記軸筒に対し当該軸筒の径方向に相対移動可能である。
【００１４】
以上のシャープペンシルは、前記軸筒の内部に当該軸筒に対し前記軸線方向に相対移動可能に配置され、慣性力によって筆記芯を繰り出す繰り出し操作を行う重量体を更に備え、
前記口金及び前記芯繰出ユニットが前記非筆記状態にあるとき、前記重量体による前記筆記芯の繰り出しが制限されて良い。
【００１５】
前記後筒は、押圧部を含み前記前筒に対し前記軸線の周りに相対回転するカムを有し、
前記カムの前記押圧部により押圧される被押圧部を有するカムフォロアを更に備え、
前記カムフォロアは、前記被押圧部が前記カムの前記押圧部により押圧されることにより前記前筒に対し前記軸線方向に相対移動し、
前記カムの前記押圧部と前記カムフォロアの前記被押圧部とは、面接触して良い。
【００１６】
前記カムは、前記軸線を中心として回転対称に配置された複数の押圧部を有し、
前記カムフォロアは、前記複数の押圧部に対応する位置に複数の被押圧部を有して良い。
【００１７】
前記カムフォロアに対し前記芯繰出ユニットを前方に付勢する付勢手段を更に備え、
前記芯繰出ユニットは、
前記付勢手段により前記カムフォロアに対し前方に付勢されたチャック支持ユニットと、
前記チャック支持ユニットに対し前記軸線方向に相対移動可能に当該チャック支持ユニットに支持され、前記筆記芯を前方に送り出し可能に保持する、チャックユニットと、を有し、
前記口金及び前記芯繰出ユニットが前記非筆記状態にあるとき、前記チャックユニットの前記チャック支持ユニットに対する前記軸線方向の相対移動が規制されて良い。
【００１８】
前記カムフォロアは、略筒形の形状であり、内面に膨出部を有し、
前記チャックユニットは、前記カムフォロアの前記膨出部に後方から当接する当接部を有し、
前記膨出部及び前記当接部は、前記口金及び前記芯繰出ユニットが前記筆記状態にあるときには互いに離間し、前記口金及び前記芯繰出ユニットが前記非筆記状態にあるときには互いに当接するようになっていて良い。
【００１９】
前記芯繰出ユニットは、前記筆記状態にあるとき、前記付勢手段により前記軸筒を前方に押圧して良い。
【００２０】
前記芯繰出ユニットと前記口金との間に圧縮状態で配置された弾性体を更に備えていて良い。
【００２１】
前記口金及び前記芯繰出ユニットが前記筆記状態にあるとき、筆圧によって、前記筆記芯と前記芯繰出ユニットとが前記軸筒に対し後方に相対移動し、且つ、前記弾性体によって前記口金が前記芯繰出ユニットに対し前方に相対移動するようになっていて良い。
【００２２】
前記筆記状態において、相対的に小さい筆圧により前記筆記芯が前記軸線方向に沿って後方へ所定距離移動する第１筆記状態と、相対的に大きい筆圧により前記筆記芯が前記軸線方向に沿って後方へ前記所定距離移動する第２筆記状態と、に切り換え可能であってよい。
【発明の効果】
【００２３】
本発明によれば、筆記芯を含む芯繰出ユニットが軸筒に対し相対移動して筆圧を吸収するタイプのシャープペンシルを回転出没式に構成できるため、筆記芯の折損を低減させ、且つ、効果的に口金を保護することが可能なシャープペンシルを提供することができる。
【図面の簡単な説明】
【００２４】
【図１】本発明の一実施の形態によるシャープペンシルを示す概略縦断面図であり、口金が軸筒内に没入した状態で示されている。
【図２】本発明の一実施の形態によるシャープペンシルを示す概略縦断面図であり、口金が軸筒から突出した状態で示されている。
【図３Ａ】図１のシャープペンシルのカム及びカムフォロアを示す概略正面図である。
【図３Ｂ】図３Ａの３Ｂ−３Ｂ線断面図である。
【図４Ａ】図１のシャープペンシルのカム及びカムフォロアを示す概略側面図である。
【図４Ｂ】図４Ａの４Ｂ−４Ｂ線断面図である。
【図５Ａ】口金が軸筒内に没入した状態におけるカムとカムフォロアとの係合状態を示す概略図である。
【図５Ｂ】口金が軸筒から突出した状態におけるカムとカムフォロアとの係合状態を示す概略図である。
【図６Ａ】筆記芯に強い筆圧が加えられていないときの図１のシャープペンシルの前方部分を示す概略縦断面図である。
【図６Ｂ】筆記芯に強い筆圧が加えられているときの図１のシャープペンシルの前方部分を示す概略縦断面図である。
【図７】シャープペンシルの変形例を示す概略縦断面図であり、シャープペンシルを口金が軸筒内に没入した状態で示す図である。
【図８】シャープペンシルの変形例を示す概略縦断面図であり、シャープペンシルを口金が軸筒から突出した状態且つ弱筆感状態で示す図である。
【図９】シャープペンシルの変形例を示す概略縦断面図であり、シャープペンシルを口金が軸筒から突出した状態且つ強筆感状態で示す図である。
【図１０】変形例に係るシャープペンシルのカム部材及びカムフォロアを示す分解斜視図である。
【図１１Ａ】図１０のカム部材及びカムフォロアを示す概略正面図である。
【図１１Ｂ】図１０のカム部材及びカムフォロアを示す概略側面図である。
【図１２】非筆記状態におけるカム部材及びカムフォロアの係合状態を示す斜視図である。
【図１３Ａ】図１２のカム部材及びカムフォロアを示す概略正面図である。
【図１３Ｂ】図１２のカム部材及びカムフォロアを示す概略側面図である。
【図１４】弱筆感状態におけるカム部材及びカムフォロアの係合状態を示す斜視図である。
【図１５Ａ】図１４のカム部材及びカムフォロアを示す概略正面図である。
【図１５Ｂ】図１４のカム部材及びカムフォロアを示す概略側面図である。
【図１６】強筆感状態におけるカム部材及びカムフォロアの係合状態を示す斜視図である。
【図１７Ａ】図１６のカム部材及びカムフォロアを示す概略正面図である。
【図１７Ｂ】図１６のカム部材及びカムフォロアを示す概略側面図である。
【図１８Ａ】非筆記状態におけるカム部材のカム押圧部及びカムフォロアの被押圧部の係合状態を示す拡大図である。
【図１８Ｂ】弱筆感状態におけるカム押圧部及び被押圧部の係合状態を示す拡大図である。
【図１８Ｃ】強筆感状態におけるカム押圧部及び被押圧部の係合状態を示す拡大図である。
【図１９Ａ】非筆記状態におけるシャープペンシルの後筒の回転規制用凸部と前筒の回転規制用切欠き部との位置関係を示す図である。
【図１９Ｂ】弱筆感状態におけるシャープペンシルの後筒の回転規制用凸部と前筒の回転規制用切欠き部との位置関係を示す図である。
【図１９Ｃ】強筆感状態におけるシャープペンシルの後筒の回転規制用凸部と前筒の回転規制用切欠き部との位置関係を示す図である。
【図２０】変形例に係るシャープペンシルのカム押圧部及び被押圧部の形状の他の例を示す図である。
【図２１】変形例に係るシャープペンシルのカム押圧部及び被押圧部の形状のさらに他の例を示す図である。
【発明を実施するための形態】
【００２５】
以下に、添付の図面を参照して本発明の一実施の形態を詳細に説明する。
【００２６】
図１及び図２は、本発明の一実施の形態によるシャープペンシル１００を示す概略縦断面図である。図１は、口金３０が軸筒１０内に没入した状態を示し、図２は、口金３０が軸筒１０から突出した状態を示している。なお、本明細書では、シャープペンシル１００，２００の長手方向（軸線方向ｄａ）に沿って、筆記する際に紙面Ｐ等の被筆記面に近接する側（例えば図１では左側）を前方とし、被筆記面から離間する側（例えば図１では右側）を後方とする。
【００２７】
図１及び図２に示すように、シャープペンシル１００は、軸筒１０と、軸筒１０内に支持され、筆記芯２１を保持する芯繰出ユニット２０と、芯繰出ユニット２０の前方に支持され、芯繰出ユニット２０に保持された筆記芯２１が通過可能な開口部を有する口金３０と、を備えている。本実施の形態の芯繰出ユニット２０は、軸筒１０に対し軸線方向ｄａに相対移動可能に当該軸筒１０に支持されている。後に詳述されるが、口金３０は、軸筒１０の前端から出没可能となっている。
【００２８】
図１及び図２に示すように、軸筒１０は、前筒１１と、前筒１１に対しその軸線Ｌ周りに相対回転可能な後筒１２と、を有している。芯繰出ユニット２０及び口金３０は、後筒１２を前筒１１に対し軸筒１０の軸線Ｌの周りに相対回転させることにより、口金３０が軸筒１０の前端から突出した筆記状態（図２参照）と、口金３０が軸筒１０の内部に没入した非筆記状態（図１参照）と、に交互に切り替えられるようになっている。
【００２９】
後筒１２は、後筒本体１３と、この後筒本体１３の前方に一体的に形成され、カム押圧部１４ｐを含み前筒１１に対し後筒本体１３と共に軸線Ｌ周りに相対回転する、カム１４と、を有している。また、シャープペンシル１００は、カム１４のカム押圧部１４ｐにより押圧される被押圧部４０ｐを有するカムフォロア４０を、更に備えている。図１に示すように、芯繰出ユニット２０は、カムフォロア４０との間に圧縮状態で配置されたクッションスプリング５０によって、カムフォロア４０に対し前方（図１における左方）に付勢されている。
【００３０】
次に、図３Ａ〜図５Ｂを参照して、カム１４及びカムフォロア４０について説明する。図３Ａは、図１のシャープペンシル１００のカム１４及びカムフォロア４０を示す概略正面図であり、図３Ｂは、図３Ａの３Ｂ−３Ｂ線断面図である。図４Ａは、図１のシャープペンシル１００のカム１４及びカムフォロア４０を示す概略側面図であり、図４Ｂは、図４Ａの４Ｂ−４Ｂ線断面図である。また、図５Ａは、口金３０が軸筒１０内に没入した状態におけるカム１４とカムフォロア４０との係合状態を示す概略図であり、図５Ｂは、口金３０が軸筒１０から突出した状態におけるカム１４とカムフォロア４０との係合状態を示す概略図である。図５Ａ及び図５Ｂにおいて、カム１４及びカムフォロア４０は、展開図にて示されている。
【００３１】
図３Ａ〜図４Ｂに示すように、本実施の形態のカム１４は後筒１２の前端に一体的に形成されている。カム１４は、軸線Ｌの周りを螺旋状に延びるカム押圧部１４ｐを有している。図３Ａ〜図４Ｂに示すように、このカム押圧部１４ｐは、前方に面する２条の押圧面であり、軸線Ｌに関して回転対称に形成されている。すなわち、一方のカム押圧部１４ｐを軸線Ｌ周りに１８０°回転させた位置に、他方のカム押圧部１４ｐが形成されている。
【００３２】
図３Ａ〜図４Ｂに示すように、カムフォロア４０は、略筒形の形状を有している。カムフォロア４０は、後方にカム１４を収容する筒型の収容部４１を有し、この収容部４１の内面に、軸線Ｌの周りを螺旋状に延びる被押圧部４０ｐを有している。図３Ａ〜図４Ｂに示すように、この被押圧部４０ｐは、後方に面する２条の被押圧面であり、カム１４の２つのカム押圧部１４ｐに対向している。すなわち、一方の被押圧部４０ｐを軸線Ｌ周りに１８０°回転させた位置に、他方の被押圧部４０ｐが形成されている。
【００３３】
以上のような構成により、図５Ａに示すように、本実施の形態の被押圧部４０ｐは、口金３０が軸筒１０内に没入している際に、カム押圧部１４ｐと面接触するようになっている。図５Ａ及び図５Ｂに示すように、被押圧部４０ｐは、後端４０ｔに、カム１４に設けられたカム側規制部１４ｓに当接する、カムフォロア側規制部４０ｓを有している。図示されるように、本実施の形態のカム側規制部１４ｓ及びカムフォロア側規制部４０ｓは、軸線方向ｄａに延びる壁部として構成されている。また、図５Ａ及び図５Ｂに示すように、カム１４のカム側規制部１４ｓの近傍に、カム１４に対するカムフォロア４０の後端４０ｔの後戻りを規制する戻り止め部１４ｅを有している。この戻り止め部１４ｅは、カムフォロア４０の後端４０ｔが当該戻り止め部１４ｅを乗り越えた直後に、カム側規制部１４ｓとカムフォロア側規制部４０ｓとが当接するように、位置決めされている。
【００３４】
図３Ａ〜図４Ｂに戻って、カムフォロア４０の前端は、内面に膨出部４２を有している。膨出部４２は、カムフォロア４０が軸筒１０に対し後方に相対移動する際に、すなわち口金３０及び芯繰出ユニット２０が筆記状態から非筆記状態に切り替わる際に、芯繰出ユニット２０を軸筒１０に対し後方に相対移動させるためのものである。膨出部４２の作用については、後に詳述される。
【００３５】
更に、カムフォロア４０は、外面に被ガイド部４３を有している。被ガイド部４３は、軸筒１０に設けられたガイド部１７に係合して軸筒１０に対するカムフォロア４０の軸線Ｌ周りの相対回転を規制するためのものである。本実施の形態の被ガイド部４３は、収容部４１の外面に設けられた突起であり、本実施の形態のガイド部１７は、被ガイド部４３に対応する軸筒１０の部分の内面に軸線方向ｄａに沿って設けられた溝である。なお、カムフォロア４０と軸筒１０との軸線Ｌ周りの相対回転を規制することができれば、このような形態には限定されない。したがって、例えば、被ガイド部として軸線方向ｄａに延びる溝を設け、ガイド部としてこの溝に係合する軸線方向ｄａに延びる突部を設けても良い。
【００３６】
また、図１及び図２に示すように、シャープペンシル１００は、カムフォロア４０を軸筒１０に対し後方に付勢するカムフォロア用スプリング６０を有している。このカムフォロア用スプリング６０は、軸筒１０の内面に設けられた第１受け部１９と収容部４１の前端との間に圧縮状態で配置されている。カムフォロア用スプリング６０の付勢力により、カムフォロア４０、芯繰出ユニット２０及び口金３０が自重で不所望に軸筒１０に対して軸線方向ｄａに相対移動することが防止されている。
【００３７】
図１及び図２に戻って、本実施の形態の芯繰出ユニット２０は、軸筒１０に対し軸線方向ｄａに相対移動可能に軸筒１０に支持されたチャック支持ユニット２７と、チャック支持ユニット２７に対し軸線方向ｄａに相対移動可能に当該チャック支持ユニット２７に支持され、筆記芯２１を前方に送り出すように保持するチャックユニット２８と、口金３０をチャック支持ユニット２７に抜け止め状態で保持するための保持部材２２と、を有している。口金３０は、筆記芯２１を案内するガイドパイプ３１と、このガイドパイプ３１よりも大径のスリーブ部３２と、を有している。スリーブ部３２は、前方の小径部３２ｃと後方の拡径部３２ｄとを有している。
【００３８】
保持部材２２は、口金３０の外周を取り囲んだ状態でチャック支持ユニット２７に固定された筒状の部材である。保持部材２２の前端は、内径が縮小された絞り部２２ｆを有している。絞り部２２ｆの外面には、前方に向かって先細りとなるテーパ部２２ｔが形成されている。絞り部２２ｆの前端の内径は、口金３０の小径部３２ｃの外径よりも大きいが拡径部３２ｄの外径よりも小さい。これにより、保持部材２２内に後方から挿入された口金３０の拡径部３２ｄが保持部材２２に対し絞り部２２ｆを超えて前方に相対移動することが禁止される。
【００３９】
チャック支持ユニット２７は、当該チャック支持ユニット２７と口金３０との間に配置される口金用スプリング３３の付勢力を受ける第２受け部２７ａを有している。この第２受け部２７ａは、口金３０の小径部３２ｃと拡径部３２ｄとの接続部分よりも後方に位置しており、当該接続部分との間に口金用スプリング３３が伸縮可能に圧縮状態で配置されている。したがって、口金３０は、拡径部３２ｄが保持部材２２の絞り部２２ｆを押圧した状態でチャック支持ユニット２７の前方に配置されることになる。本実施の形態では、口金用スプリング３３の初動荷重は、クッションスプリング５０の初動荷重よりも小さく設定されている。
【００４０】
また、チャック支持ユニット２７は、外筒２７ｐと、外筒２７ｐに支持され、チャックユニット２８に設けられたチャック２４を締める締めリング２５と、チャックユニット２８を外筒２７ｐに対し後方に付勢するリターンスプリング２６と、を有している。外筒２７ｐは、前方の内周面に縮径部２７ｓを有している。チャック２４は、この縮径部２７ｓにより画定された開口を軸線方向ｄａに貫通して配置され、外筒２７ｐに対して軸線方向ｄａに相対移動可能となっている。また、リターンスプリング２６は、外筒２７ｐの縮径部２７ｓとコネクタ２９との間に圧縮状態で配置されている。このような構成により、リターンスプリング２６は、外筒２７ｐに対してチャックユニット２８を後方に付勢している。チャックユニット２８がチャック支持ユニット２７に対し前方に相対移動させられていないときには、チャック２４は、前端領域が締めリング２５によって締められて、筆記芯２１を後退しないように挟持する。チャック支持ユニット２７は、当該チャック支持ユニット２７とカムフォロア４０との間に配置されるクッションスプリング５０からの付勢力を受ける第３受け部２７ｂを有している。とりわけ、第３受け部２７ｂは、チャック支持ユニット２７の外筒２７ｐにおける後方を向く面として設けられる。したがって、クッションスプリング５０は、第３受け部２７ｂとカムフォロア４０の前端との間に圧縮状態で配置される。
【００４１】
図１及び図２に示すように、チャックユニット２８は、カムフォロア４０内を貫通して配置され、カムフォロア４０の膨出部４２に後方から当接する当接部２９ｐを有している。図１乃至図４Ｂに示すように、本実施の形態の当接部２９ｐは、コネクタ２９の外面に形成された凸部である。当接部２９ｐの外径は、カムフォロア４０の膨出部４２の内径よりも大きく形成されている。このため、チャックユニット２８のカムフォロア４０に対する前方への相対移動は、当接部２９ｐが膨出部４２に後方から当接することによって規制されることになる。本実施の形態において、当接部２９ｐ及び膨出部４２は、互いに当接した際にクッションスプリング５０が圧縮状態を維持し、且つ、口金３０が軸筒１０（前筒１１）内に完全に没入する位置に設けられている。
【００４２】
軸筒１０（前筒１１）は、内周面に、保持部材２２のテーパ部２２ｔが後方から当接する押圧部１５と、口金３０の小径部３２ｃが後方から当接する軸筒側縮径部１６と、を有している。図１及び図２に示すように、本実施の形態の押圧部１５及び軸筒側縮径部１６は、いずれも軸筒１０の内面に形成された凸部である。また、軸筒１０の前方の内径は、保持部材２２の外径よりも大きくなっており、軸筒１０に対し口金３０の径方向の相対移動が許容されている。
【００４３】
更に、芯繰出ユニット２０は、芯パイプ２３の後端に取り付けられた押圧操作部１８を更に有している。この押圧操作部１８を前方に押圧操作（ノック操作）することによって、チャックユニット２８から筆記芯２１が繰り出される。具体的な繰り出しの態様については、後述される。押圧操作部１８は、後方が消しゴム（不図示）を取外可能に保持するホルダ部１８ｈとして構成されている。そして、ホルダ部１８ｈには、消しゴムの後方を覆うドーム状のノブ８１が取外可能に外嵌されている。
【００４４】
シャープペンシル１００は、チャックユニット２８のコネクタ２９の後方に、芯パイプ２３を取り囲み軸筒１０内にてチャックユニット２８に対し前後に相対移動可能な重量体７０を更に有している。この重量体７０は、軸筒１０が軸線方向ｄａに沿って振られた際に、コネクタ２９に後方から慣性力を作用させることでチャックユニット２８をチャック支持ユニット２７に対して前方に相対移動させ、筆記芯２１を繰り出すためのものである。したがって、シャープペンシル１００は、押圧操作部１８を前方に押圧操作することによっても、あるいは軸筒１０を前後に振ることによっても、筆記芯２１が繰り出されるようになっている。
【００４５】
次に、シャープペンシル１００の作用について説明する。なお、以下の説明において、口金３０が軸筒１０内に没入している図１の状態を初期状態とする。
【００４６】
紙面に対して筆記を行うに先立ち、必要に応じて、ノブ８１が押圧操作部１８から取り外され、筆記芯２１が芯パイプ２３内に投入される。その後、ノブ８１が押圧操作部１８に再び取り付けられる。そして、前筒１１に対し後筒１２が後方から見て時計回りに相対回転されると、次のようにして口金３０が軸筒１０の前端から繰り出される。すなわち、後筒１２と共に、カム１４が前筒１１に対し時計回りに相対回転され、カム１４のカム押圧部１４ｐがカムフォロア４０の被押圧部４０ｐを押圧する（図５Ａ及び図５Ｂ参照）。この押圧によって、カム押圧部１４ｐと被押圧部４０ｐとには、互いの接触面に対し直交する方向に互いに逆向きの力が作用する。これらの力には、軸筒１０の軸線方向ｄａの成分と、軸線方向ｄａと直交する方向（軸筒１０の径方向）の成分とが含まれる。ところで、カムフォロア４０は、被ガイド部４３と軸筒１０のガイド部１７との係合により、軸筒１０に対し軸線Ｌ周りに相対回転することが規制され、当該軸筒１０に対し軸線方向ｄａにのみ相対移動することができる。このため、カムフォロア４０は、カムフォロア用スプリング６０を圧縮させつつ、軸筒１０に対し前方に相対移動する。
【００４７】
カムフォロア４０が軸筒１０に対し前方に相対移動されることにより、芯繰出ユニット２０も軸筒１０に対し前方に相対移動される。そして、この相対移動の過程で、まず口金３０の小径部３２ｃが軸筒側縮径部１６に当接し、口金３０の軸筒１０に対する前方への更なる相対移動が規制される。この状態からカムフォロア４０が軸筒１０に対し更に前方に相対移動されると、口金用スプリング３３が圧縮されて保持部材２２の前端から前方に突出している小径部３２ｃの長さが減少する。その後、保持部材２２のテーパ部２２ｔが軸筒１０の押圧部１５に後方から当接し、軸筒１０に対するチャック支持ユニット２７の前方への更なる相対移動と、保持部材２２に対する口金３０の後方への更なる相対移動と、の双方が規制される。そして、後筒１２によってカムフォロア４０が軸筒１０に対し更に前方に相対移動されると、クッションスプリング５０及びカムフォロア用スプリング６０を圧縮させつつ、カムフォロア４０が軸筒１０及び芯繰出ユニット２０に対し前方に相対移動する。この相対移動によって、カムフォロア４０の膨出部４２とチャックユニット２８の当接部２９ｐとが離反する。
【００４８】
そして、前筒１１に対し後筒１２が更に相対回転されると、カムフォロア４０の後端４０ｔがカム１４の戻り止め部１４ｅを乗り越える。すると、カム側規制部１４ｓとカムフォロア側規制部４０ｓとが互いに当接し、それ以上の前筒１１に対する後筒１２の軸線Ｌ周りの相対回転が禁止され、軸筒１０の前端からの口金３０を突出させる操作が完了する。前述したようにカム１４の戻り止め部１４ｅは前方に凸の形状に構成されているため、カム１４の後端１４ｔが戻り止め部１４ｅを乗り越えた後は、クッションスプリング５０及びカムフォロア用スプリング６０によってカムフォロア４０がカム１４に対して後方に押圧されても、それらの相対位置関係は変化しない。
【００４９】
このように、口金３０を軸筒１０の前端から突出させる際には、カムフォロア用スプリング６０、クッションスプリング５０及び口金用スプリング３３の全てが圧縮される。このため、カム１４は、各スプリング６０、５０、３３の付勢力を超える力でカムフォロア４０を前方に押圧することになる。ところで、本実施の形態では、カム１４のカム押圧部１４ｐとカムフォロア４０の被押圧部４０ｐとが面接触して力が均等に接触部分に掛かることから、安定した回転動作が行われる。このため、前筒１１に対し後筒１２を軸線Ｌ周りに相対回転させる力が、カムフォロア４０を軸筒１０に対し前方に押圧する力へと、効率的に転換される。したがって、口金３０を軸筒１０の前端から露出させるために後筒１２に加えられるべきトルクが過度に大きくなることはない。
【００５０】
その後、軸筒１０の前端が押圧操作部１８より下方に位置する姿勢で当該押圧操作部１８（ノブ８１）が軸筒１０に対して前方に押し込まれる（ノックされる）。これにより、チャックユニット２８がリターンスプリング２６の付勢力に逆らってチャック支持ユニット２７に対し前進させられる。この前進の過程で、締めリング２５がチャック２４から外れ、当該チャック２４が開放される。この結果、チャック２４から筆記芯２１が所定の長さだけ前方に繰り出される。
【００５１】
そして、使用者によって軸筒１０が把持され、紙面に対して筆記芯２１を当接させつつ軸筒１０を所望に移動させることによって、筆記が行われる。筆記芯２１が摩耗した際には、押圧操作部１８を前方に押圧操作することによって、あるいは軸筒１０を前後に振って重量体７０をコネクタ２９に後方から衝突させること（振り出し操作）によって、筆記芯２１を繰り出せばよい。
【００５２】
次に、図６Ａ及び図６Ｂを参照して、シャープペンシル１００の筆記時の作用について説明する。図６Ａは、筆記芯２１に強い筆圧が加えられていないときの図１のシャープペンシル１００の前方部分を示す概略縦断面図であり、図６Ｂは、筆記芯２１に強い筆圧が加えられているときの図１のシャープペンシル１００の前方部分を示す概略縦断面図である。図６Ａに示すように、筆記の際、軸筒１０は、軸線方向ｄａが紙面Ｐに対して鋭角をなすように把持されることが一般的である。このため、筆記時に、筆記芯２１には、軸筒１０の軸線方向ｄａに垂直な成分（軸筒１０の径方向の成分）と当該軸線方向ｄａの成分とを含む力が作用する。本実施の形態のシャープペンシル１００は、筆記時に筆記芯２１に強い筆圧が加えられた際に、次のようにして筆圧の軸線方向ｄａに垂直な成分と軸線方向ｄａの成分とをそれぞれ吸収し、口金３０から突出した筆記芯２１の折損を低減させる。
【００５３】
すなわち、筆記芯２１に強い筆圧が作用すると、筆圧の軸線方向ｄａに垂直な成分によって、筆記芯２１及び口金３０を介して保持部材２２のテーパ部２２ｔと軸筒１０の押圧部１５との間に強い押圧力が作用する。すると、保持部材２２のテーパ部２２ｔが前方に向かって先細りとなっていることにより、図６Ｂに示すように、芯繰出ユニット２０は、その前方が軸線Ｌに対し傾動しながら、クッションスプリング５０を圧縮しつつ軸筒１０に対し後方に相対移動する。
【００５４】
ところで、口金３０は、口金用スプリング３３によって芯繰出ユニット２０に対し前方に付勢されている。この付勢力により、口金３０は、芯繰出ユニット２０の軸筒１０に対する後方への相対移動量に応じて、当該芯繰出ユニット２０に対し前方に相対移動する。すなわち、芯繰出ユニット２０が軸筒１０に対し後方に相対移動しても、口金３０は、軸筒１０に対し軸線方向ｄａには相対移動しない。この結果、口金３０の前端から突出する筆記芯２１の長さが減少する。
【００５５】
これと同時に、筆圧の軸線方向ｄａの成分によって、筆記芯２１が後方に押圧される。この筆圧の軸線方向ｄａの成分がクッションスプリング５０の付勢力を超えている場合、芯繰出ユニット２０は、クッションスプリング５０を更に圧縮させながら軸筒１０に対し後方に相対移動する。すなわち、口金３０の前端から突出する筆記芯２１の長さが一層減少され、筆記芯２１の折損がより効果的に回避される。
【００５６】
そして、筆記芯２１に加えられている筆圧が弱められ、クッションスプリング５０の付勢力によって、芯繰出ユニット２０が軸筒１０に対して前方に押し戻される。これにより、図６Ａに示す状態が復元される。
【００５７】
筆記が終了すると、次のようにして口金３０が軸筒１０内に没入される。まず、後筒１２が前筒１１に対し、後方から見て反時計回りに相対回転される。この相対回転によって、カム１４の戻り止め部１４ｅがカムフォロア４０の後端４０ｔを乗り越える。すなわち、図５Ｂに示す状態において、戻り止め部１４ｅがカムフォロア４０の後端４０ｔより下方に位置付けられ、カム１４に対するカムフォロア４０の戻り止めの状態が解除される。すると、各スプリング６０、５０、３３による付勢力を原動力として、カムフォロア４０が軸筒１０に対し後方に押し戻され、これに伴って後筒１２が前筒１１に対し後方から見て反時計回りに相対回転される。これにより、口金３０を軸筒１０の前端から突出させる際の上述した動作が逆順で行われて、口金３０及び芯繰出ユニット２０が初期状態である非筆記状態となる（図１参照）。
【００５８】
口金３０が軸筒１０内に没入される際、口金用スプリング３３が次第に伸長するため、チャックユニット２８に対し口金３０が前方に相対移動する。このため、筆記が終了した際に口金３０の前端から筆記芯２１がある程度突出していたとしても、この相対移動により、筆記芯２１の当該露出している部分の少なくとも一部が口金３０内に没入される。このことにより、口金３０及び芯繰出ユニット２０が非筆記状態にあるとき、筆記芯２１が確実に保護される。そして、口金３０が再び軸筒１０の前端から突出させる際には、前述したようにチャックユニット２８に対し口金３０が後方に相対移動されるため、筆記芯２１の前端が再び口金３０から突出し、押圧操作部１８の押圧操作や重量体７０による振り出し操作なしで、筆記が再開され得る。
【００５９】
本実施の形態によるシャープペンシル１００は、口金３０が軸筒１０内に没入している際に、筆記芯の繰り出しが規制される。すなわち、前述したように、シャープペンシル１００は、口金３０及び芯繰出ユニット２０が非筆記状態にあるとき、カムフォロア４０の膨出部４２にチャックユニット２８の当接部２９ｐが後方から当接している。このため、押圧操作部１８を軸筒１０に対し前方に相対移動させると、あるいは重量体７０の慣性力をコネクタ２９に作用させると、チャックユニット２８と共にカムフォロア４０が軸筒１０に対し前方に相対移動する。この際、カムフォロア４０に伴ってクッションスプリング５０及びチャック支持ユニット２７も軸筒１０に対し前方に相対移動される。すなわち、チャックユニット２８とチャック支持ユニット２７とが同時に軸筒１０に対し前方に相対移動する。結局、口金３０及び芯繰出ユニット２０が非筆記状態にあるとき、チャックユニット２８のチャック支持ユニット２７に対する前方への相対移動が規制されるため、押圧操作部１８の押圧操作や重量体７０の慣性力による振り出し操作が行われても、筆記芯２１は繰り出されない。
【００６０】
以上のような本実施の形態によれば、筆記芯２１を含む芯繰出ユニット２０が軸筒１０に対し相対移動して筆圧を吸収するタイプのシャープペンシル１００を回転出没式に構成できるため、筆記芯２１の折損を低減させ、且つ、効果的に口金３０を保護することが可能なシャープペンシル１００を提供することができる。
【００６１】
また、シャープペンシル１００は、軸筒１０の内部に当該軸筒１０に対し軸線方向ｄａに相対移動可能に配置され、慣性力によって筆記芯２１を繰り出す繰り出し操作を行う重量体７０を更に備え、口金３０及び芯繰出ユニット２０が非筆記状態にあるとき、重量体７０による筆記芯２１の繰り出しが制限されている。これは、口金３０及び芯繰出ユニット２０が非筆記状態にあるときに、当接部２９ｐがカムフォロア４０の膨出部４２に後方から当接することにより実現されている。このことから、本実施の形態によれば、口金３０及び芯繰出ユニット２０が非筆記状態にあるとき、押圧操作部１８が押圧操作されても、あるいは重量体７０の慣性力による振り出し操作が行われても、筆記芯２１が繰り出されない。このことにより、利便性の高いシャープペンシル１００を提供することができる。
【００６２】
また、カム１４のカム押圧部１４ｐとカムフォロア４０の被押圧部４０ｐとが面接触していることにより、カム押圧部１４ｐと被押圧部４０ｐとの間に作用する摩擦力が低減される。このため、比較的小さい力によって、前筒１１に対し後筒１２を相対回転させてカムフォロア４０を軸筒１０に対し前方に相対移動させることができる。
【００６３】
また、カム１４は、軸線Ｌを中心として回転対称に配置された２つのカム押圧部１４ｐを有し、カムフォロア４０は、２つのカム押圧部１４ｐに対応する位置に２つの被押圧部４０ｐを有している。このため、カムフォロア４０がカム１４を押圧する力、あるいはカム１４がカムフォロア４０を押圧する力は、軸筒１０の軸線方向ｄａから見て軸筒１０の中心軸線（軸線Ｌ）上で作用することになり、安定的な口金３０の出没動作を行うことができる。なお、軸線Ｌを中心として回転対称に配置されているならば、押圧部は３つ以上設けられていても良い。この場合、押圧部に対応して３つ以上の被押圧部が軸線Ｌを中心として回転対称に配置されることになる。
【００６４】
また、芯繰出ユニット２０と口金３０との間には、圧縮状態で配置された口金用スプリング３３が設けられている。そして、筆圧によって、筆記芯２１と芯繰出ユニット２０とが軸筒１０に対して後方に相対移動し、且つ、口金用スプリング３３によって口金３０が芯繰出ユニット２０に対して前方に相対移動する。このため、筆圧によって芯繰出ユニット２０が軸筒１０に対し後方に相対移動しても、口金３０は軸筒１０に対し後方に相対移動しない。このことによって、筆記芯２１に強い筆圧が作用した際に、口金３０の前端から突出する筆記芯２１の長さが減少され、筆記芯２１の折損が効果的に低減され得る。
【００６５】
なお、以上の説明においては、重量体７０を有するシャープペンシル１００について説明を行ったが、この重量体７０を省略したシャープペンシルも考慮され得る。このようなシャープペンシルにおいても、重量体７０の慣性力による振り出し操作による筆記芯２１の繰り出しを除き、上述したシャープペンシル１００と同様の作用効果を奏することができる。
【００６６】
なお、上述した実施の形態に対して様々な変更を加えることが可能である。以下、図面を適宜参照しながら、変形例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００６７】
上記の実施の形態に係るシャープペンシル１００では、筆記芯２１に対して筆圧が作用すると、当該筆圧の軸線方向ｄａ成分によりクッションスプリング５０が圧縮され、筆記芯２１が軸線方向ｄａに沿って後方へ移動する。図７〜図２０を参照して以下に説明する変形例では、筆記芯２１に対して同じ筆圧が作用した際の筆記芯２１の移動量を変更することが可能であるシャープペンシル２００が提供される。このシャープペンシル２００は、筆記芯２１に対して同一の筆圧が作用した際の、筆記芯２１の軸線方向ｄａに沿った後方への移動量が相対的に大きい第１筆記状態と、筆記芯２１の軸線方向ｄａに沿った後方への移動量が相対的に小さい第２筆記状態と、に切り換えることが可能である。第１筆記状態では、相対的に小さい筆圧により筆記芯２１が軸線方向ｄａに沿って後方へ所定距離移動し、第２筆記状態では、相対的に大きい筆圧により筆記芯２１が軸線方向ｄａに沿って後方へ所定距離移動する。したがって、使用者は、第１筆記状態にあるシャープペンシル２００では相対的に弱い筆感を得、第２筆記状態にあるシャープペンシル２００では相対的に強い筆感を得る。これにともなって、本明細書では、第１筆記状態を弱筆感状態とも呼び、第２筆記状態を強筆感状態とも呼ぶ。
【００６８】
図７は、変形例に係るシャープペンシル２００を示す概略縦断面図であり、シャープペンシル２００を口金３０が軸筒１０内に没入した状態で示す図であり、図８は、シャープペンシル２００を口金３０が軸筒１０から突出した状態且つ弱筆感状態で示す図であり、図９は、シャープペンシル２００を口金３０が軸筒１０から突出した状態且つ強筆感状態で示す図である。図１０は、カム部材２１４及びカムフォロア４０を示す分解斜視図であり、図１１Ａは、対応する概略正面図であり、図１１Ｂは、対応する概略側面図である。図１２は、非筆記状態におけるカム部材２１４及びカムフォロア４０の係合状態を示す斜視図であり、図１３Ａは、対応する概略正面図であり、図１３Ｂは、対応する概略側面図である。図１４は、弱筆感状態におけるカム部材２１４及びカムフォロア４０の係合状態を示す斜視図であり、図１５Ａは、対応する概略正面図であり、図１５Ｂは、対応する概略側面図である。図１６は、強筆感状態におけるカム部材２１４及びカムフォロア４０の係合状態を示す斜視図であり、図１７Ａは、対応する概略正面図であり、図１７Ｂは、対応する概略側面図である。
【００６９】
本変形例の後筒１２は、後筒本体１３と、カム１４を有し後筒本体１３の前方に配置されたカム部材２１４とを有している。後筒本体１３は、前方の小径部１３ａと、小径部１３ａの後方に位置する拡径部１３ｂとを有している。小径部１３ａの外面には当該外面から径方向の外側へ向けて突出した係合凸部１３ｃが設けられている。小径部１３ａにおける係合凸部１３ｃよりも後方部分の外面には、当該外面から径方向外側へ向けて突出した回転規制用凸部１３ｄが形成されている。図示された例では、回転規制用凸部１３ｄは、小径部１３ａの後端に形成されている。
【００７０】
カム部材２１４は、図１０に示されているように、全体として円筒状の形状を有している。カム部材２１４の後方部分には穴部２１４ａが形成されている。図７〜図９に示されているように、後筒本体１３の係合凸部１３ｃが、カム部材２１４の穴部２１４ａに係合することにより、後筒本体１３とカム部材２１４とが互いに連結される。なお、図示された例では、穴部２１４ａはカム部材２１４を径方向に貫通した貫通孔として形成されているが、穴部２１４ａの具体的形状はこれに限られない。例えば、穴部２１４ａは、カム部材２１４の内面に形成された非貫通孔であっても良い。係合凸部１３ｃと穴部２１４ａとの係合により、カム部材２１４は、後筒本体１３に対して周方向及び軸線方向ｄａの両方の移動が規制される。
【００７１】
前筒１１は、第１部材１１ａと、第１部材１１ａに対して後方から組み付けられた第２部材１１ｂとを含んでいる。前筒１１の後端（第２部材１１ｂ）には、径方向内方に向けて膨出した膨出部１１ｃが形成されている。膨出部１１ｃの内径は、カム部材２１４の外形よりも小さい。したがって、前筒１１（第２部材１１ｂ）内に配置されたカム部材２１４は、前筒１１から後方へ抜け出ることが防止される。カム部材２１４は、第１部材１１ａと第２部材１１ｂとが互いに組み付けられる前に、前方から第２部材１１ｂ内に挿入される。
【００７２】
膨出部１１ｃは、周方向に延びる回転規制用切欠き部１１ｄを有している。後筒１２が前筒１１に対して組み付けられた状態において、後筒１２の回転規制用凸部１３ｄは、回転規制用切欠き部１１ｄ内に位置する。後筒１２の回転規制用凸部１３ｄは、回転規制用切欠き部１１ｄの範囲内において周方向に移動可能である。これにより、回転規制用凸部１３ｄが回転規制用切欠き部１１ｄ内において移動可能である範囲内において、後筒１２は前筒１１に対して軸線Ｌ周りに回転可能に構成される。
【００７３】
図７〜９に示されているように、後筒本体１３とカム部材２１４とが連結された状態において、カム部材２１４の後端が膨出部１１ｃの前端に当接し、後筒本体１３の拡径部１３ｂの前端が前筒１１の後端（膨出部１１ｃの後端）に当接している。したがって、後筒１２の前筒１１に対する軸線方向ｄａの移動は規制される。なお、カム部材２１４の後端と膨出部１１ｃの前端との間、及び／又は、後筒本体１３の拡径部１３ｂの前端と前筒１１の後端との間に、所定の隙間（遊び）が形成されてもよい。
【００７４】
押圧操作部１８のホルダ部１８ｈには、消しゴム等の筆跡消去部材１８ｉが後方から挿入されている。
【００７５】
カムフォロア４０の前方部分には、前端から離間して穴部４０ａが形成されている。コネクタ２９の当接部２９ｐが穴部４０ａに嵌合することにより、コネクタ２９とカムフォロア４０とが互いに連結される。穴部４０ａは軸線方向ｄａに沿って所定長さを有しており、コネクタ２９の当接部２９ｐは、穴部４０ａ内に嵌合された状態で前後方向に移動可能である。すなわち、コネクタ２９は、カムフォロア４０に対して周方向の移動は規制される一方、前後方向には一定距離内で移動可能である。なお、図示された例では、穴部４０ａはカムフォロア４０を径方向に貫通した貫通孔として形成されているが、穴部４０ａの具体的形状はこれに限られない。例えば、穴部４０ａは、カムフォロア４０の内面に形成された非貫通孔であっても良い。
【００７６】
本変形例では、カム押圧部１４ｐは、カム部材２１４の前端に設けられている。また、被押圧部４０ｐは、カムフォロア４０の外面に設けられている。カムフォロア４０は、軸線方向ｄａに沿って前端及び後端から離間した中間部に拡径部４０ｂを有している。被押圧部４０ｐは、拡径部４０ｂの後端に設けられている。カムフォロア４０の拡径部４０ｂよりも後方に位置する部分は、カム部材２１４の内側に挿入される。カム押圧部１４ｐは、第１戻り止め部１４ｅ１と、第１戻り止め部１４ｅ１に対して周方向に離間して配置された第２戻り止め部１４ｅ２とを有している。第２戻り止め部１４ｅ２の前端は、第１戻り止め部１４ｅ１の前端よりも軸線方向ｄａにおける前方側に位置している。第１戻り止め部１４ｅ１と第２戻り止め部１４ｅ２との間には、後方に向かって窪んだ第１凹部１４ｆ１が形成されている。第２戻り止め部１４ｅ２に対して周方向における第１凹部１４ｆ１と反対側に位置する部分には、後方に向かって窪んだ第２凹部１４ｆ２が形成されている。
【００７７】
次に、図７〜図１９ｃを参照して、本変形のシャープペンシル２００の動作について説明する。図１８Ａは、非筆記状態におけるカム部材２１４のカム押圧部１４ｐ及びカムフォロア４０の被押圧部４０ｐの係合状態を示す拡大図であり、図１８Ｂは、弱筆感状態におけるカム押圧部１４ｐ及び被押圧部４０ｐの係合状態を示す拡大図であり、図１８Ｃは、強筆感状態におけるカム押圧部１４ｐ及び被押圧部４０ｐの係合状態を示す拡大図である。図１９Ａは、非筆記状態における後筒１２の回転規制用凸部１３ｄと前筒１１の回転規制用切欠き部１１ｄとの位置関係を示す図であり、図１９Ｂは、弱筆感状態における回転規制用凸部１３ｄと回転規制用切欠き部１１ｄとの位置関係を示す図であり、図１９Ｃは、強筆感状態における回転規制用凸部１３ｄと回転規制用切欠き部１１ｄとの位置関係を示す図である。
【００７８】
図７に示された、口金３０が軸筒１０内に没入した状態（非筆記状態）において、コネクタ２９の当接部２９ｐの前端は、カムフォロア４０の穴部４０ａの前端に当接している。この場合、コネクタ２９のさらなる前進が規制され、コネクタ２９の後端に重量体７０からの押圧力が作用した場合にも筆記芯２１の繰出しが防止される。すなわち、非筆記状態においてシャープペンシル２００が軸線方向ｄａに振られたとしても、使用者の意図に反して筆記芯２１が繰り出されることが防止される。このとき、図１９Ａに示されているように、後筒１２の回転規制用凸部１３ｄは、前筒１１の回転規制用切欠き部１１ｄの周方向の一端部に位置する。
【００７９】
カム部材２１４がカムフォロア４０に対して軸線Ｌ周りに（周方向に）回転されると、カムフォロア４０は、カム押圧部１４ｐから受ける押圧力の軸線方向成分により、カムフォロア用スプリング６０の付勢力に抗して前方に移動する。このとき、カムフォロア用スプリング６０、クッションスプリング５０及び口金用スプリング３３は軸線方向ｄａに圧縮される。カムフォロア４０の被押圧部４０ｐの後端４０ｔは、軸線方向ｄａに沿って前方に移動しながら第１戻り止め部１４ｅ１を超える。カムフォロア用スプリング６０の付勢力により、カムフォロア４０が後方に移動し、カムフォロア４０の被押圧部４０ｐの後端４０ｔは、第１凹部１４ｆ１内に位置する。これにより、口金３０が軸筒１０から突出する。カムフォロア４０の被押圧部４０ｐの後端４０ｔが第１凹部１４ｆ１内に位置するとき、シャープペンシル２００は、図８に示す第１筆記状態（弱筆感状態）となる。このとき、図１９Ｂに示されているように、後筒１２の回転規制用凸部１３ｄは、前筒１１の回転規制用切欠き部１１ｄの周方向の一端部及び他端部から離間した中間部に位置する。
【００８０】
カム部材２１４がカムフォロア４０に対して軸線Ｌ周りに（周方向に）さらに回転されると、カムフォロア４０は、カム押圧部１４ｐから受ける押圧力の軸線方向成分により、カムフォロア用スプリング６０の付勢力に抗してさらに前方に移動する。このとき、カムフォロア用スプリング６０及びクッションスプリング５０は軸線方向ｄａに圧縮される。カムフォロア４０の被押圧部４０ｐの後端４０ｔは、軸線方向ｄａに沿って前方に移動しながら第２戻り止め部１４ｅ２を超える。カムフォロア用スプリング６０の付勢力により、カムフォロア４０が後方に移動し、カムフォロア４０の被押圧部４０ｐの後端４０ｔは、第２凹部１４ｆ２内に位置する。カムフォロア４０の被押圧部４０ｐの後端４０ｔが第２凹部１４ｆ２内に位置するとき、シャープペンシル２００は、図９に示す第２筆記状態（強筆感状態）となる。このとき、図１９Ｃに示されているように、後筒１２の回転規制用凸部１３ｄは、前筒１１の回転規制用切欠き部１１ｄの周方向の他端部に位置する。
【００８１】
第２筆記状態におけるクッションスプリング５０の圧縮量は、第１筆記状態におけるクッションスプリング５０の圧縮量よりも大きい。これにより、第２筆記状態におけるクッションスプリング５０のバネ張力は、第１筆記状態におけるクッションスプリング５０のバネ張力よりも大きくなる。したがって、同一の筆圧が作用した際の、第２筆記状態における筆記芯２１の軸線方向ｄａに沿った後方への移動量は、第１筆記状態における筆記芯２１の軸線方向ｄａに沿った後方への移動量よりも小さい。換言すると、第２筆記状態における、筆記芯２１が軸線方向ｄａに沿って後方へ所定距離移動するために必要な筆圧は、第１筆記状態における、筆記芯２１が軸線方向ｄａに沿って後方へ当該所定距離移動するために必要な筆圧よりも大きくなる。結果として、第２筆記状態にあるシャープペンシル２００の筆感は、第１筆記状態にあるシャープペンシル２００の筆感よりも強くなる。
【００８２】
本変形例のシャープペンシル２００は、筆記状態において、相対的に小さい筆圧により筆記芯２１が軸線方向ｄａに沿って後方へ所定距離移動する第１筆記状態と、相対的に大きい筆圧により筆記芯２１が軸線方向ｄａに沿って後方へ前記所定距離移動する第２筆記状態と、に切り換え可能である。
【００８３】
このようなシャープペンシル２００によれば、当該シャープペンシル２００を弱筆感状態（第１筆記状態）と強筆感状態（第２筆記状態）とに切り換えることが可能になる。これにより、使用者の好みに応じたシャープペンシル２００の使用感の向上を図ることができる。すなわち、様々な好みを有する使用者それぞれが快適に使用することができるシャープペンシル２００を提供することが可能になる。なお、本変形例のシャープペンシル２００は、筆記状態において、第１筆記状態と第２筆記状態との２段階の状態に切替え可能に構成されているが、これに限られず、シャープペンシル２００は、筆記状態において、３段階以上に切り換え可能に構成されてもよい。
【００８４】
次に、図２０及び図２１を参照して、カム押圧部１４ｐ及び被押圧部４０ｐの形状の他の例について説明する。図２０は、シャープペンシル２００のカム押圧部１４ｐ及び被押圧部４０ｐの形状の他の例を示す図であり、図２１は、シャープペンシル２００のカム押圧部１４ｐ及び被押圧部４０ｐの形状のさらに他の例を示す図である。
【００８５】
図２０に示された例では、カム押圧部１４ｐは、周方向に沿って配列された複数のカム押圧要素１４ｐｅを含んでいる。図示された例では、１つのカム押圧部１４ｐは、２つのカム押圧要素１４ｐｅを含んでいる。なお、これに限られず、１つのカム押圧部１４ｐは、３つ以上のカム押圧要素１４ｐｅを含んでもよい。複数のカム押圧要素１４ｐｅは、互いに同一形状を有している。
【００８６】
このようなカム押圧部１４ｐによれば、シャープペンシル２００における、口金３０の出没動作、及び、第１筆記状態と第２筆記状態との切り換え動作をさらに安定して行うことができる。
【００８７】
図２１に示された例では、カム押圧部１４ｐは、周方向に沿って配列された一対のカム押圧要素１４ｐｅを含んでいる。一対のカム押圧要素１４ｐｅは、軸線方向ｄａに延びる直線Ｌ１に対して、周方向に互いに対称をなす形状を有している。一方のカム押圧要素１４ｐｅは、後方に向かうにつれて周方向の一方側（図２１では上側）に向かうように伸びる第１押圧面１４ｐｆ１を有し、他方のカム押圧要素１４ｐｅは、後方に向かうにつれて周方向の他方側（図２１では下側）に向かうように伸びる第２押圧面１４ｐｆ２を有する。一方のカム押圧要素１４ｐｅは、周方向の一方側から他方側へ向けて順に配列された第１戻り止め部１４ｅ１及び第２戻り止め部１４ｅ２を有する。他方のカム押圧要素１４ｐｅは、周方向の他方側から一方側へ向けて順に配列された第１戻り止め部１４ｅ１及び第２戻り止め部１４ｅ２を有する。２つのカム押圧要素１４ｐｅは、第２凹部１４ｆ２を共有する。
【００８８】
このようなカム押圧部１４ｐによれば、押圧操作部１８を軸線Ｌ周りの一方側及び他方側のどちらに回転させても出没動作及び第１筆記状態と第２筆記状態との切り換え動作を行うことができ、シャープペンシル２００の操作性を効果的に向上させることができる。
【符号の説明】
【００８９】
１０  軸筒
１１  前筒
１１ａ  第１部材
１１ｂ  第２部材
１１ｃ  膨出部
１１ｄ  回転規制用切欠き部
１２  後筒
１３  後筒本体
１３ａ  小径部
１３ｂ  拡径部
１３ｃ  係合凸部
１３ｄ  回転規制用凸部
１４  カム
１４ｅ  戻り止め部
１４ｐ  カム押圧部
１４ｓ  カム側規制部
１４ｔ  カムの後端
１５  押圧部
１６  軸筒側縮径部
１７  ガイド部
１８  押圧操作部
１８ｈ  ホルダ部
１９  第１受け部
２０  芯繰出ユニット
２１  筆記芯
２２  保持部材
２２ｆ  絞り部
２２ｔ  テーパ部
２３  芯パイプ
２４  チャック
２５  締めリング
２６  リターンスプリング
２７  チャック支持ユニット
２７ａ  第２受け部
２７ｐ  外筒
２７ｓ  縮径部
２８  チャックユニット
２９  コネクタ
２９ｐ  当接部
３０  口金
３１  ガイドパイプ
３２  スリーブ部
３２ｃ  小径部
３２ｄ  拡径部
３３  口金用スプリング
４０  カムフォロア
４０ａ  穴部
４０ｂ  拡径部
４０ｐ  被押圧部
４０ｓ  カムフォロア側規制部
４０ｔ  カムフォロアの後端
４１  収容部
４２  膨出部
４３  被ガイド部
５０  クッションスプリング
６０  カムフォロア用スプリング
７０  重量体
８１  ノブ
１００，２００  シャープペンシル
２１４  カム部材
２１４ａ  穴部
【図１】
2019119202.tif 000003
【図２】
2019119202.tif 000004
【図３Ａ】
2019119202.tif 000005
【図３Ｂ】
2019119202.tif 000006
【図４Ａ】
2019119202.tif 000007
【図４Ｂ】
2019119202.tif 000008
【図５Ａ】
2019119202.tif 000009
【図５Ｂ】
2019119202.tif 000010
【図６Ａ】
2019119202.tif 000011
【図６Ｂ】
2019119202.tif 000012
【図７】
2019119202.tif 000013
【図８】
2019119202.tif 000014
【図９】
2019119202.tif 000015
【図１０】
2019119202.tif 000016
【図１１Ａ】
2019119202.tif 000017
【図１１Ｂ】
2019119202.tif 000018
【図１２】
2019119202.tif 000019
【図１３Ａ】
2019119202.tif 000020
【図１３Ｂ】
2019119202.tif 000021
【図１４】
2019119202.tif 000022
【図１５Ａ】
2019119202.tif 000023
【図１５Ｂ】
2019119202.tif 000024
【図１６】
2019119202.tif 000025
【図１７Ａ】
2019119202.tif 000026
【図１７Ｂ】
2019119202.tif 000027
【図１８Ａ】
2019119202.tif 000028
【図１８Ｂ】
2019119202.tif 000029
【図１８Ｃ】
2019119202.tif 000030
【図１９Ａ】
2019119202.tif 000031
【図１９Ｂ】
2019119202.tif 000032
【図１９Ｃ】
2019119202.tif 000033
【図２０】
2019119202.tif 000034
【図２１】
2019119202.tif 000035